(57)【要約】【課題】リモコン操作可能な電子機器の待機電力を一層削減する。【解決手段】バックアップコンデンサ２４に充電された電圧をコントローラＩＣ２０とリモコン受信機３５の電源電圧ＶＤＤとして用いる。そして、電子機器１０の電源がオフの待機状態において、バックアップコンデンサ２４に充電された電圧が所定の値まで低下した時にリレー１３をオンさせて電圧生成回路によりバックアップコンデンサ２４を充電し、その充電後にリレー１３をオフさせる。また、電子機器１０の電源がオフの待機状態において、リモコン受信機３５を間欠的に動作させ、リモコン受信機３５がリモコン送信機から電源オンコマンドを受けたことを検知した時に、電子機器１０の電源をオンさせる。【選択図】図１
2010268255.tif 000002
【特許請求の範囲】
【請求項１】
リレーを介して供給される入力電源から第１の出力電圧を生成する電圧生成回路と、
前記電圧生成回路によって生成された第１の出力電圧により充電されるバックアップコンデンサと、
前記バックアップコンデンサに充電された電圧を電源として用い、リモコン送信機から送信されたリモコン信号を受信するリモコン受信機と、
前記バックアップコンデンサに充電された電圧を電源として用いるコントローラと、を備え、
前記コントローラは、電子機器の電源がオフの状態において、前記バックアップコンデンサに充電された電圧が所定の値まで低下した時に前記リレーをオンさせて前記電圧生成回路により前記バックアップコンデンサを充電し、その充電後に前記リレーをオフさせ、
電子機器の電源がオフの状態において、前記リモコン受信機を間欠的に動作させ、前記リモコン受信機がリモコン送信機から電源オンコマンドを受けたことを検知した時に、電子機器の電源をオンさせることを特徴とする電子機器の電源制御システム。
【請求項２】
前記リレーのオンオフ状態にかかわらず、前記入力電源を前記電圧生成回路に供給する起動スイッチを備えることを特徴とする請求項１に記載の電子機器の電源制御システム。
【請求項３】
前記コントローラは、タイマーを備え、電子機器の電源がオフの状態において、前記タイマーからのタイマー信号に応じて、前記リモコン受信機に前記バックアップコンデンサに充電された電圧を供給することを特徴とする請求項１又は２に記載の電子機器の電源制御システム。
【請求項４】
前記コントローラは、前記リモコン受信機が動作している期間に、リモコン送信機からのリモコン信号を受信したか否かを監視し、前記リモコン受信機がリモコン信号を受信したことを検出した場合には、当該リモコン信号が電源オンコマンドであるかどうかの判断を行うことを特徴とする請求項３に記載の電子機器の電源制御システム。
【請求項５】
前記電圧生成回路は、前記第１の出力電圧とは異なる第２の出力電圧を生成し、前記コントローラは、前記リモコン受信機がリモコン送信機から送信された電源オンコマンドを受けたことを検知した時に、前記電子機器の本体の電子回路に対し、その電源として前記第２の出力電圧を供給することを特徴とする請求項１乃至４のいずれかに記載の電子機器の電源制御システム。
【請求項６】
前記コントローラは、前記第２の出力電圧が定電圧になるように、前記電圧生成回路を制御することを特徴とする請求項５に記載の電子機器の電源制御システム。
【請求項７】
前記バックアップコンデンサを補助的に充電する太陽電池を備えることを特徴とする請求項１乃至６のいずれかに記載の電子機器の電源制御システム。
【発明の詳細な説明】
【技術分野】
【０００１】
本発明は、赤外線や電波等を用いたワイヤレスリモコン送信機により、テレビ、ホームステレオ等の電子機器の電源オンオフ等を制御する技術に関し、特に、リモコン送信機からの電源オンコマンド待ちの状態において、リモコン受信機を含めた電子機器の消費電力を削減する技術に関する。
【背景技術】
【０００２】
テレビ、ホームステレオ等のリモコン操作が可能な電子機器においては、電子機器内にリモコン受信機、コントローラが設けられている。コントローラは、リモコン受信機がリモコン送信機からのリモコン信号を受信するのを常に監視しており、リモコン信号が受信されるとこのリモコン信号を解析し、その解析結果に基づいて電子機器の電源オンオフ、チャンネル選択、音量選択等の制御を行う。
【０００３】
したがって、リモコン受信機及びコントローラは、電子機器の電源オンの通常動作状態では勿論のこと、電子機器が電源オフであり、電源オンコマンド待ちの待機状態においても、常に動作させておく必要があった。このため、電子機器が電源オフの待機状態において相当の待機電力が発生する。このような電子機器の待機電力はリモコン操作可能な電子機器の普及とともに、大きな問題となっている。
【０００４】
このような電子機器の待機電力を削減するために、リモコン受信機を間欠動作させる技術が提案されている。
【先行技術文献】
【特許文献】
【０００５】
【特許文献１】特開平１１−２８５０８６号公報
【発明の概要】
【発明が解決しようとする課題】
【０００６】
一般に、リモコン操作可能な電子機器においては、ＡＣ電源を整流回路、スイッチングレギュレータを介して直流電圧に変換し、これをリモコン受信機、コントローラ等の電源として供給している。したがって、リモコン受信機の動作を一時的に停止させたとしても、その停止中にもＡＣ電源が供給されており、整流回路等において電力は消費され続けている。したがって、リモコン受信機を間欠動作させたとしても、待機電力の削減には限界があった。
【０００７】
そこで、本発明はリモコン操作可能な電子機器の待機電力を一層削減することを課題とする。
【課題を解決するための手段】
【０００８】
本発明の電子機器の電源制御システムは、リレーを介して供給される入力電源から第１の出力電圧を生成する電圧生成回路と、前記電圧生成回路によって生成された第１の出力電圧により充電されるバックアップコンデンサと、前記バックアップコンデンサに充電された電圧を電源として用い、リモコン送信機から送信されたリモコン信号を受信するリモコン受信機と、前記バックアップコンデンサに充電された電圧を電源として用いるコントローラと、を備え、前記コントローラは、電子機器の電源がオフの状態において、前記バックアップコンデンサに充電された電圧が所定の値まで低下した時に前記リレーをオンさせて前記電圧生成回路により前記バックアップコンデンサを充電し、その充電後に前記リレーをオフさせ、電子機器の電源がオフの状態において、前記リモコン受信機を間欠的に動作させ、前記リモコン受信機がリモコン送信機から電源オンコマンドを受けたことを検知した時に、電子機器の電源をオンさせることを特徴とする。
【発明の効果】
【０００９】
本発明によれば、リモコン操作可能な電子機器の待機電力を一層削減することができる。
【図面の簡単な説明】
【００１０】
【図１】本発明の実施形態による電子機器の電源制御システムの構成を示す図である。
【図２】リモコン受信機の間欠動作を説明するタイミング図である。
【図３】電圧生成回路の構成例を示す回路図である。
【図４】電子機器の電源制御動作の一例を示すフローチャートである。
【発明を実施するための形態】
【００１１】
図１は本発明の実施形態による電子機器の電源制御システムの構成を示す図である。電子機器１０は、テレビやホームステレオ等のリモコン操作可能なものであり、入力端子１１，１２、リレー１３、起動スイッチ１４、整流回路１５、電源トランスの一次側制御回路１６、フォトトランジスタ１７、電源トランス１８、コントローラＩＣ２０、出力端子２１，２２、平滑コンデンサ２３、バックアップコンデンサ２４、抵抗２５、ダイオード２６〜２８、発光ダイオード２９、ツェナーダイオード３０、ＮＰＮトランジスタ３１〜３４、赤外線受信機等からなるリモコン受信機３５、本体回路３６、太陽電池３７を含んで構成される。更に電力を削減する手段として、太陽電池３７を付加することも可能である。
【００１２】
リレー１３はＡＣ電源のオン／オフを切り替え可能な回路であり、これに電流を流すことによりオンし、入力端子１１，１２（ＡＣプラグに相当する端子）を介して入力されるＡＣ電源を整流回路１５に供給する。電流を流さない時には、リレー１３はオフ状態であり、ＡＣ電源の供給は遮断される。リレー１３のオンオフはコントローラＩＣ２０により制御される。即ち、リレー１３にはＮＰＮトランジスタ３２が接続されており、コントローラＩＣ２０からの制御信号によりＮＰＮトランジスタ３２がオンすると、リレー１３に電流が流れるようになっている。
【００１３】
起動スイッチ１４は、電子機器１０の電源制御システムを起動させる時に使用するプッシュスイッチ（テレビ等において、メインスイッチに相当するもの）であって、この起動スイッチ１４が押されることにより、ＡＣ電源が整流回路１５に供給されるようになっている。起動スイッチ１４を設ける理由は、電子機器１０のＡＣプラグがＡＣ電源のコンセントから抜かれた状態で相当な時間が経過し、再度コンセントに差し込まれた直後には、コントローラＩＣ２０が動作せず、リレー１３のオンオフ動作を制御できないことがあるからである。
【００１４】
整流回路１５は、入力端子１１，１２を介して入力されるＡＣ電源を整流して、次段の一次側制御回路１６に供給する。一次側制御回路１６は、フォトトランジスタ１７からの電気信号に基づいて、電源トランス１８の一次側コイルに流す電流を制御する。これにより、電源トランス１８の二次側コイルに電流が発生する。
【００１５】
ダイオード２６は、電源トランス１８の二次側コイルを流れる電流を整流する。平滑コンデンサ２３は、ダイオード２６によって整流された電流を平滑化し、出力端子２１，２２の間に接続される本体回路３６の駆動に用いられる出力電圧Ｖoutを生成する。生成された出力電圧Ｖoutは、ＮＰＮトランジスタ３３を介して出力端子２１，２２の間に印加される。ＮＰＮトランジスタ３３のオンオフはコントローラＩＣ２０により制御される。
【００１６】
抵抗２５を介して直列接続されたダイオード２７，２８は、電源トランス１８の二次側コイルを流れる電流を整流してバックアップコンデンサ２４に供給する。バックアップコンデンサ２４は、ダイオード２７，２８によって整流された電流によって充電され、コントローラＩＣ２０の電源電圧ＶＤＤを生成する。なお、ツェナーダイオード３０は、電源電圧ＶＤＤを例えば５Ｖにクランプするために設けられている。
【００１７】
太陽電池３７は、バックアップコンデンサ２４を補助的に充電するために設けられている。電子機器１０が主に家屋の室内光の下で使用されることに鑑みると、太陽電池３７は、アモルファス半導体を用いた光電変換効率の高いアモルファス太陽電池であることが好ましい。
【００１８】
つまり、電子機器１０においては、整流回路１５、一次側制御回路１６、電源トランス１８、ダイオード２７，２８、平滑コンデンサ２３、バックアップコンデンサ２４を含む回路が、出力電圧Ｖout及び電源電圧ＶＤＤを生成する電圧生成回路を構成している。
【００１９】
発光ダイオード２９は、コントローラＩＣ２０の制御によって電気信号を光信号に変換して出力する。即ち、発光ダイオード２９のカソードにはＮＰＮトランジスタ３１のコレクタが接続され、エミッタは接地され、ベースにコントローラＩＣ２０からの信号が印加される。
【００２０】
また、発光ダイオード２９のアノードには、ダイオード２７によって整流された電流／電圧が印加される。ＮＰＮトランジスタ３１は、コントローラＩＣ２０からＮＰＮトランジスタ３１のベースに印加されるＰＷＭ（pulse width modulation）信号に応じてオンオフする。つまり、ＰＷＭ信号のデューティに応じて発光ダイオード２９に流れる電流が制御される。
【００２１】
フォトトランジスタ１７は、発光ダイオード２９からの光信号を電気信号に変換して、一次側制御回路１６へ出力する。即ち、発光ダイオード２９とフォトトランジスタ１７とはフォトカプラを形成している。
【００２２】
コントローラＩＣ２０は、出力電圧検出部４１、電圧制御部４２、電源電圧検出部４３、リレー制御部４４、タイマー４５、受信機制御部４６、コマンド検出部４７、出力制御部４８、本体回路制御部４９を含んで構成されている。コントローラＩＣ２０は、例えばマイクロコンピュータを用いて形成することができる。
【００２３】
出力電圧検出部４１は、出力電圧Ｖoutのレベルを検出する。電圧制御部４２は、出力電圧検出部４１の検出結果に基づいて、出力電圧Ｖoutが定電圧になるようにＮＰＮトランジスタ３１を制御する。即ち、電圧制御部４２は、ＮＰＮトランジスタ３１のベースにＰＷＭ信号を印加する。ＰＷＭ信号がハイレベルの期間では、ＮＰＮトランジスタ３１がオンし、発光ダイオード２９に電流が流れ、光信号が出力される。また、ＰＷＭ信号がロウレベルの期間では、ＮＰＮトランジスタ３１がオフし、光信号の出力が停止される。
【００２４】
このように、ＮＰＮトランジスタ３１のオンオフに応じた光信号がフォトトランジスタ１７で電気信号に変換され、一次側制御回路１６に入力される。そして、一次側制御回路１６は、フォトトランジスタ１７からの信号に応じて、出力電圧Ｖoutが定電圧になり、電源電圧Ｖｄｄが所定の電圧（例えば５Ｖ）になるように、一次側コイルに流れる電流を制御する。
【００２５】
電源電圧検出部４３は、バックアップコンデンサ２４に充電された電圧、つまり、コントローラＩＣ２０の電源電圧ＶＤＤのレベルを検出する。リレー制御部４４は、電源電圧検出部４３が、電源電圧ＶＤＤが所定の値（例えば３Ｖ）より低下したことを検出すると、ＮＰＮトランジスタ３２をオンさせるように、そのベースに制御信号を出力する。ＮＰＮトランジスタ３２のコレクタにはダイオード２７によって整流された電圧が印加され、そのエミッタはリレー１３に接続されている。したがって、ＮＰＮトランジスタ３２がオンすると、リレー１３に電流が流れ、リレー１３がオン状態になる。
【００２６】
また、リレー制御部４４は、電源電圧検出部４３が、電源電圧ＶＤＤが所定の値（例えば５Ｖ）まで上昇したことを検出すると、ＮＰＮトランジスタ３２をオフさせるように、そのベースに制御信号を出力する。ＮＰＮトランジスタ３２がオフすると、リレー１３への電流供給は停止され、リレー１３はオフ状態になる。
【００２７】
受信機制御部４６は、電子機器１０の電源がオフの状態（つまり、ＮＰＮトランジスタ３３がオフであり、出力電圧Ｖoutが出力端子２１，２２に出力されていない状態）において、タイマー４５から周期的に出力されるタイマー信号（パルス信号）に基づいてリモコン受信機３５を間欠動作させる。
【００２８】
即ち、リモコン受信機３５にはバックアップコンデンサ２４に充電された電圧、つまり電源電圧ＶＤＤがＮＰＮトランジスタ３４を介して供給される。受光制御部４６から出力される制御信号により、ＮＰＮトランジスタ３４がオンするとリモコン受信機３５に電源電圧ＶＤＤが供給され、リモコン受信機３５は動作状態になり、ＮＰＮトランジスタ３４がオフするとリモコン受信機３５への電源電圧ＶＤＤの供給は停止され、リモコン受信機３５は停止状態になる。これにより、リモコン受信機３５を間欠動作させることができる。
【００２９】
即ち、図２に示すように、タイマー信号のパルス周期をｔ１とすると、リモコン受信機３５は、期間ｔ２において動作状態であり、それ以外の期間（ｔ１−ｔ２）において停止状態になるように制御される。これにより、リモコン受信機３５の時間平均した平均消費電流をｔ２／ｔ１に抑えることができる。
【００３０】
例えば、ｔ１＝３００ｍｓｅｃ、ｔ２＝３ｍｓｅｃとすると、タイマー信号のデューティは１／１００であり、リモコン受信機３５の平均消費電流は常時動作に対して１／１００になる。尚、受信機制御部４６は、電子機器１０の電源がオンの状態では、間欠動作ではなく常時動作させても良い。
【００３１】
コマンド検出部４７は、リモコン受信機３５が間欠動作中の動作期間ｔ２において、リモコン受信機３５がリモコン送信機からのリモコン信号を受信したか否かを監視し、リモコン受信機３５がリモコン信号を受信したことを検出した場合には、当該リモコン信号を解析し、これが電源オンコマンドであるかどうかの判断を行う。そして、コマンド検出部４７が当該リモコン信号は電源オンコマンドであると判断すると、出力制御部４８はこの判断に基づいて、ＮＰＮトランジスタ３３をオンさせるように制御する。
【００３２】
この場合、図２に示すように、コントローラＩＣ２０は、間欠動作中の動作期間ｔ２に対応する期間において通常動作し、それ以外の期間はタイマー４５、電源電圧検出部４３だけを動作させることが好ましい。これにより、コントローラＩＣ２０の消費電流を削減できるからである。ただし、電源電圧検出部４３が電源電圧ＶＤＤの低下を検出した場合には、リレー制御部４４が動作することは前述の通りである。
【００３３】
リモコン受信機３５が間欠動作している場合、リモコン受信機３５は、その停止期間中にはリモコン送信機からのリモコン信号を受信することができない。そこで、リモコン送信機のコマンド送信期間ｔ３は、図２に示すように、タイマー信号の周期ｔ１より長い期間であることが好ましい。これにより、リモコン受信機３５は、間欠動作中においてもリモコン送信機からのリモコン信号を確実に受信することができるからである。
【００３４】
電源オンコマンドに応じて、ＮＰＮトランジスタ３３がオンすると、電圧生成回路によって生成された出力電圧ＶoutはＮＰＮトランジスタ３３を介して、出力端子２１，２２に接続された本体回路３６の電源として供給される。換言すれば、電子機器１０の本体の電源がオンになる。尚、コマンド検出部４７が電源オンコマンドを検出した場合、リレー制御部４４は、電源電圧検出部４３の検出結果にかかわらず、リレー１３をオンさせるように制御することが好ましい。これは、出力電圧Ｖoutの供給を安定化させるためである。
【００３５】
電子機器１０の本体の電源がオンされると、本体回路制御部４９は、コマンド検出部４７の検出結果に基づいて、本体回路３６の機能動作、つまり電子機器１０の本来的な機能動作（テレビの場合は、チャンネルの選択、音量等）を制御する。
【００３６】
［電圧生成回路の構成例］
次に、図１の電圧生成回路、特に、一次側制御回路１６、電源トランス１８の具体的な構成例を図３に基づいて説明する。一次側制御回路１６は、コンデンサ５１，５２、抵抗５３、ダイオード５４、駆動回路５５，ＮチャネルＭＯＳＦＥＴ５６を含んで構成される。
【００３７】
電源トランス１８は、一次側コイルＬ１、二次側コイルＬ２及び補助コイルＬ３を有し、一次側コイルＬ１及び補助コイルＬ３と二次側コイルＬ２の間は絶縁されている。電源トランス１８おいては、一次側コイルＬ１の電流変化に応じて二次側コイルＬ２及び補助コイルＬ３に電流が発生する。
【００３８】
整流回路１５は、入力端子１１，１２を介して供給されるＡＣ電源を整流してコンデンサ５１に直流電圧を蓄積する。
【００３９】
駆動回路５５は、フォトトランジスタ１７からの信号に基づいて、ＮチャネルＭＯＳＦＥＴ５６のオンオフを制御する。尚、電源制御システムの起動時には、コンデンサ５１から抵抗５３を介して流れる電流（起動電流）によって駆動回路５５は動作する。その後、ＮチャネルＭＯＳＦＥＴ５６のスイッチング動作が開始されると、一次側コイルＬ１の導通に応じて補助コイルＬ３に生じる電流がダイオード５４で整流されてコンデンサ５２が充電される。そして、駆動回路５５は、コンデンサ５２に充電された電圧によって動作する。
【００４０】
［電子機器の電源制御動作］
次に、電子機器１０の電源制御動作の一例を図４のフローチャートに基づいて説明する。
【００４１】
先ず、待機モードについて説明する。この場合、電子機器の電源はオフされており、リレー１３もオフされているとする。コントローラＩＣ２０の電源電圧検出部４３は、バックアップコンデンサ２４に充電された電圧、即ち電源電圧ＶＤＤのレベルを監視し、電源電圧ＶＤＤが所定の値より低下した場合は（Ｓ１０４：ＬＯＷ）、リレー制御部４４はリレー１３がオンするようにＮＰＮトランジスタ３２を制御する。これにより、バックアップコンデンサ２４が充電され、電源電圧ＶＤＤが上昇する。（Ｓ１０５）
バックアップコンデンサ２４の充電が完了すると、リレー制御部４４はリレー１３がオフするようにＮＰＮトランジスタ３２を制御する。このような電源電圧ＶＤＤの監視と、電源電圧ＶＤＤが低下した場合のバックアップコンデンサ２４の充電は待機モードにおいて繰り返し行われる。
【００４２】
尚、電子機器１０のＡＣプラグがＡＣ電源のコンセントから抜かれた状態で相当な時間が経過し、バックアップコンデンサ２４が相当放電されており、コントローラＩＣ２０がリレー１３のオンオフ動作を制御できない場合には、起動スイッチ１４をオンすることにより、ＡＣ電源が整流回路１５を介して一次側制御回路１６に供給され、バックアップコンデンサ２４が充電される。これにより、コントローラＩＣ２０が動作状態になり、リレー１３のスイッチング動作の制御が可能になる。
【００４３】
そして、タイマー４５からのタイマー信号（例えば３００ｍｓｅｃの周期を持つ）が出力された場合は（Ｓ１０６：ＹＥＳ）、受信機制御部４６はリモコン受信機３５が受光動作をするようにＮＰＮトランジスタ３４をオンさせる。（Ｓ１０７）
タイマー信号が出力されていない場合は（Ｓ１０６：ＮＯ）、受信機制御部４６はリモコン受信機３５が受光動作を停止するようにＮＰＮトランジスタ３４をオフさせる。つまり、リモコン受信機３５はタイマー信号に応じて間欠動作する。
【００４４】
そして、コマンド検出部４７は、リモコン受信機３５の間欠動作中において、リモコン受信機３５がリモコン送信機からのリモコン信号を受信したか否かを監視し、リモコン受信機３５がリモコン信号を受信したことを検出した場合は（Ｓ１０８：有り）、当該リモコン信号を分析する。
【００４５】
リモコン受信機３５がリモコン信号を受信したことを検出しない場合は（Ｓ１０８：無し）、受信機制御部４６はリモコン受信機３５の動作を停止させる。（Ｓ１０９）
そして、コマンド検出部４７が、リモコン受信機３５が受信したリモコン信号が電源オンコマンドであると判断した場合は（Ｓ１１０：電源ＯＮ）、出力制御部４８はこの判断に基づいて、ＮＰＮトランジスタ３３をオンさせるように制御する。（Ｓ１１１）これにより、電子機器１０の電源がオンになる。
【００４６】
一方、コマンド検出部４７が、リモコン受信機３５が受けたリモコン信号が電源オンコマンド以外のコマンドであると判断した場合は（Ｓ１１０：電源以外）、受信機制御部４６はリモコン受信機３５の動作を停止させる。（Ｓ１０９）
【００４７】
電子機器１０の電源がオンになると（Ｓ１１１）、電子機器１０は通常動作モードに入る。そして、コントローラＩＣ２０及びリモコン受信機３５は常時動作する。この時、リレー１３はオンされている。そして、コマンド検出部４７は、リモコン受信機３５が受信したリモコン信号が電源オフコマンド以外のコマンドであると判断した場合は（Ｓ１０１：電源以外）、それに基づいて、本体回路制御部４９は、本体回路３６の機能動作、つまり電子機器１０の本来的な機能動作（テレビの場合は、チャンネルの選択、音量等）を制御する。（Ｓ１０２）
【００４８】
一方、コマンド検出部４７は、リモコン受信機３５が受信したリモコン信号が電源オフコマンドであると判断した場合は（Ｓ１０１：電源ＯＦＦ）、出力制御部４８はこの判断に基づいて、ＮＰＮトランジスタ３３をオフさせるように制御する。（Ｓ１０３）これにより、電子機器１０の電源がオフになる。そして、リレー制御部４４は、リレー１３がオフするようにＮＰＮトランジスタ３２を制御する。これにより、電子機器１０は待機モードに戻る。
【００４９】
以上説明したように、本実施形態の電子機器１０の電源充電システムによれば、バックアップコンデンサ２４に充電された電圧をコントローラＩＣ２０とリモコン受信機３５の電源電圧ＶＤＤとして用い、
（１）電子機器１０の電源がオフの待機状態において、バックアップコンデンサ２４に充電された電圧が所定の値まで低下した時にリレー１３をオンさせて電圧生成回路によりバックアップコンデンサ２４を充電し、その充電後にリレー１３をオフさせる。
（２）電子機器１０の電源がオフの待機状態において、リモコン受信機３５を間欠的に動作させ、リモコン受信機３５がリモコン送信機から電源オンコマンドを受けたことを検知した時に、電子機器１０の電源をオンさせる。
【００５０】
（１）、（２）の構成により、電子機器１０の待機電力を一層削減することができる。即ち、バックアップコンデンサ２４を充電してから、バックアップコンデンサ２４に充電された電圧が所定の値まで低下するまでの間は（バックアップ動作期間）、リレー１３をオフさせるので、電子機器１０からＡＣ電源を遮断し、整流回路１５等の消費電力を無くすことができる。つまり、待機電力を実質的にゼロにすることができる。
【００５１】
このバックアップ動作期間においては、コントローラＩＣ２０とリモコン受信機３５はバックアップコンデンサ２４に充電された電圧を電源電圧ＶＤＤとして動作するが、リモコン受信機３５の間欠動作でリモコン受信機３５の平均消費電流を削減したことにより、バックアップコンデンサ２４の消耗が抑えられ、待機電力ゼロの状態を長く維持することができる。したがって、単にリモコン受信機３５を間欠的に動作させる場合と比較して、電子機器１０の待機電力を一層削減することができる。
【００５２】
テレビ等の毎日のように使用されるものにおいては、バックアップコンデンサ２４を再充電する必要のない待機電力ゼロのバックアップ動作期間は、２日間あれば十分である。この場合、例えば、リモコン受信機３５の消費電流を１ｍＡとすると、リモコン受信機３５を１／１００デューティで間欠動作させることにより、その平均消費電流を１／１００の１０μＡとすることができる。また、リモコン受信機３５の間欠動作に合わせて、コントローラＩＣ２０の平均消費電流も２−３μＡにすることができる。そして、バックアップコンデンサ２４の容量値を１Ｆと設定すれば、バックアップ動作期間を２日間確保することができる。更に、太陽電池３７を付加すれば、バックアップ期間を延ばすことができる。
【００５３】
また、起動スイッチ１４を設けたので、電子機器１０のＡＣプラグがＡＣ電源のコンセントから抜かれた状態で相当な時間が経過し、再度コンセントに差し込まれた直後に、電源電圧ＶＤＤの不足によりコントローラＩＣ２０が動作しない場合であっても、この起動スイッチ１４を押すことにより、ＡＣ電源を電圧生成回路に供給して、電源電圧ＶＤＤを立ち上げることができる。これにより、コントローラＩＣ２０を動作可能とすることができる。
【００５４】
尚、本実施形態では、電子機器１０の電源がオンする場合に、電圧生成回路（整流回路１５、一次側制御回路１６、電源トランス１８を含む回路）からの出力電圧Ｖoutを、ＮＰＮトランジスタ３３を介して本体回路３６に供給しているが、大型テレビ等のように本体回路３６の規模が大きい場合には、電力量を確保するために別の第２の電圧生成回路を設けても良い。この場合は、第２の電圧生成回路の出力にＮＰＮトランジスタを接続し、出力制御部４８によって、当該ＮＰＮトランジスタのオンオフを制御する。
【００５５】
また、電圧生成回路は、ＡＣ電源から所望のレベルの直流電圧を生成する機能を持つものであるから、トランスを用いたものに限られず、他のタイプのスイッチングレギュレータ（例えば、整流回路＋ＤＣ−ＤＣコンバータ）を用いることもできる。
【符号の説明】
【００５６】
１０  電子機器
１１，１２  入力端子      １３  リレー      １４  起動スイッチ
１５  整流回路      １６  電源トランスの一次側制御回路
１７  フォトトランジスタ  １８  電源トランス      ２０  コントローラＩＣ
２１，２２  出力端子      ２３  平滑コンデンサ
２４  バックアップコンデンサ      ２５  抵抗
２６〜２８  ダイオード      ２９  発光ダイオード
３０  ツェナーダイオード      ３１〜３４  ＮＰＮトランジスタ
３５  リモコン受信機      ３６  本体回路      ３７  太陽電池
４１  出力電圧検出部      ４２  電圧制御部      ４３  電源電圧検出部
４４  リレー制御部      ４５  タイマー      ４６  受信機制御部
４７  コマンド検出部      ４８  出力制御部      ４９  本体回路制御部
【図１】
2010268255.tif 000003
【図２】
2010268255.tif 000004
【図３】
2010268255.tif 000005
【図４】
2010268255.tif 000006